(57)【特許請求の範囲】
【請求項１】
筐体内を熱交換器及び送風機が配設される熱交換室と機械室とに仕切るとともにその熱交換室と機械室を連通させる孔部を有する仕切板と、前記孔部の前記機械室側に配置されて前記仕切板に取り付けられ、内部に電気部品を保持する電装品箱とを備えた空気調和機の室外機であって、
前記電装品箱は、前記熱交換室から前記孔部を通じて前記機械室に侵入する水が当該電装品箱の内部にその上部から侵入する経路を遮るための遮水部と、前記電気部品が実装された基板を内部に保持するとともに前記熱交換室に臨む面と反対側の面に開口部を有する基板保持部材とを含み、
前記電装品箱には、前記孔部を通じて前記熱交換室側へ突出する放熱用のヒートシンクが設けられ、
前記遮水部は、前記電装品箱の内部に水が浸入する経路を遮るように略水平に延びる遮水板部を有し、
前記遮水板部は、前記基板保持部材の上壁の上方においてその上壁の前記開口部側の端縁を越えて前記孔部と反対側に延びている、空気調和機の室外機。
【請求項２】
前記基板保持部材と前記遮水部は、樹脂材料を用いて一体成形されている、請求項１に記載の空気調和機の室外機。
【請求項３】
前記基板保持部材の開口部には、保護カバーが取り付けられている、請求項１または２に記載の空気調和機の室外機。
【請求項４】
前記保護カバーは、前記基板保持部材の開口部と連通する通気孔を有する、請求項３に記載の空気調和機の室外機。
【請求項５】
前記通気孔は、前記保護カバーの上部に設けられており、
前記遮水板部は、前記通気孔のうち少なくとも一部の領域を遮蔽しないような長さで延びている、請求項４に記載の空気調和機の室外機。
【請求項６】
前記保護カバーは、その上部に切欠き部を有しており、
前記遮水板部は、前記切欠き部に対応する箇所においてそれ以外の箇所よりも前記孔部と反対側に大きく突出している、請求項３〜５のいずれか１項に記載の空気調和機の室外機。
【発明の詳細な説明】
【技術分野】
【０００１】
本発明は、空気調和機の室外機に関するものである。
【背景技術】
【０００２】
従来、箱形の外形を有する筐体内に熱交換器、送風機、圧縮機、電装品箱などの各機器が収納された空気調和機の室外機が知られている（例えば、特許文献１参照）。
【０００３】
この特許文献１に開示された室外機では、その筐体内を熱交換室と機械室とに仕切るとともに開口部を有する仕切板が設けられており、前記熱交換室には熱交換器及び送風機が設けられている一方、前記機械室には圧縮機及び電装品箱が設けられている。前記電装品箱には放熱用のヒートシンクが取り付けられており、このヒートシンクが前記開口部を通じて熱交換室側へ突出するように電装品箱が前記仕切板に取り付けられている。そして、熱交換室に突出したヒートシンクの下部には、その外面を覆うように遮水板が設けられている。この遮水板は、熱交換室内に侵入した雨水が前記送風機のファンによってかき上げられた場合にそのかき上げられた雨水がヒートシンクのフィン間に侵入するのを遮るものである。この遮水板によって、前記雨水がヒートシンクのフィン間を伝って上昇するとともに機械室側の電装品箱内に侵入するのが防止され、その水の浸入によって電装品箱内の電気部品に悪影響が及ぼされるのが防止される。
【特許文献１】実開平７−１８１３２号公報
【発明の開示】
【発明が解決しようとする課題】
【０００４】
しかしながら、上記特許文献１に開示された室外機の構成では、熱交換室に遮水板が設けられていることに起因して当該遮水板と送風機のファンとの干渉を避ける必要があり、遮水板及び送風機のファンの形状が著しい制約を受けるという問題点がある。
【０００５】
本発明は、上記の課題を解決するためになされたものであり、その目的は、電装品箱内への水の浸入に起因して電気部品に悪影響が及ぼされるのを防止しながら、遮水部及び送風機のファンの設計の自由度を向上させることが可能な空気調和機の室外機を提供することである。
【課題を解決するための手段】
【０００６】
上記目的を達成するために、本発明による空気調和機の室外機は、筐体内を熱交換器及び送風機が配設される熱交換室と機械室とに仕切るとともにその熱交換室と機械室を連通させる孔部を有する仕切板と、前記孔部の前記機械室側に配置されて前記仕切板に取り付けられ、内部に電気部品を保持する電装品箱とを備えた空気調和機の室外機であって、前記電装品箱は、前記熱交換室から前記孔部を通じて前記機械室に侵入する水が当該電装品箱の内部にその上部から侵入する経路を遮るための遮水部と、前記電気部品が実装された基板を内部に保持するとともに前記熱交換室に臨む面と反対側の面に開口部を有する基板保持部材とを含み、前記電装品箱には、前記孔部を通じて前記熱交換室側へ突出する放熱用のヒートシンクが設けられ、前記遮水部は、前記電装品箱の内部に水が浸入する経路を遮るように略水平に延びる遮水板部を有し、前記遮水板部は、前記基板保持部材の上壁の上方においてその上壁の前記開口部側の端縁を越えて前記孔部と反対側に延びている。
【０００７】
この空気調和機の室外機では、電装品箱の内部にその上部から水が浸入する経路を遮るための遮水部が電装品箱に設けられているので、熱交換室内に侵入し、送風機のファンによってかき上げられた雨水が仕切板の孔部を通って機械室内に上から落下したとしても、その雨水が電装品箱内に浸入する際に遮水部で遮って電装品箱内の電気部品に到達するのを防ぐことができる。このため、電装品箱内への水の浸入に起因して電気部品に悪影響が及ぼされるのを防止することができる。さらに、前記遮水部は、機械室に設置される電装品箱に設けられているので、熱交換室に遮水板が設けられた従来の室外機と異なり、遮水部と送風機のファンとの干渉を考慮する必要がない。このため、遮水部及び送風機のファンの設計の自由度を向上させることができる。従って、この空気調和機の室外機では、電装品箱内への水の浸入に起因して電気部品に悪影響が及ぼされるのを防止しながら、遮水部及び送風機のファンの設計の自由度を向上させることができる。また、この空気調和機の室外機では、ヒートシンクの放熱作用により電装品箱の放熱効果を高めることができる。さらに、この空気調和機の室外機では、ヒートシンクが熱交換室に設けられる一方、前記遮水部は機械室に配設された電装品箱に設けられているので、従来の室外機のように熱交換室に設けられたヒートシンクの下部を覆うように遮水板が設けられている構成と異なり、ヒートシンクの放熱効果が低下するのを防ぐことができる。このため、ヒートシンクの放熱効果を十分に発揮させることができる。また、この空気調和機の室外機では、遮水板部が上方へ向かって延びる場合に比べて、熱交換室から仕切板の孔部を通じて機械室へ向かって側方に流れる空気の流れが遮水板部で妨げられるのを抑制することができる。これにより、この空気の流れによって電装品箱を有効に冷却することができる。また、この空気調和機の室外機では、基板保持部材に開口部が設けられているので、この開口部を通じて基板保持部材の内外で通気をとることができ、基板保持部材の内部に保持された基板上の電気部品の放熱を有効に行うことができる。ただし、基板保持部材に開口部が設けられていることに起因して、その開口部を通じて基板保持部材内に水が浸入し、前記電気部品に悪影響が及ぼされる虞があるが、この構成では、遮水板部が基板保持部材の上壁の上方においてその上壁の前記開口部側の端縁を越えて前記孔部と反対側に延びているので、熱交換室内において前記送風機のファンによってかき上げられ、仕切板の孔部を通って機械室内に上から落下する水が前記開口部を通じて基板保持部材内に侵入するのを防ぐことができる。従って、この空気調和機の室外機では、基板保持部材の内部に保持された基板上の電気部品の昇温を有効に防止しながら、その基板保持部材内への水の浸入に起因する電気部品への悪影響を阻止することができる。
【００１４】
さらにこの場合には、前記基板保持部材と前記遮水部は、樹脂材料を用いて一体成形されているのが好ましい。
【００１５】
この構成では、基板保持部材と遮水部が樹脂材料を用いて一体成形されているため、基板保持部材と遮水部が個別に形成されている場合に比べて部品点数を削減することができる。さらに、この構成では、遮水部が樹脂材料で形成されているので、遮水部が金属材料で形成されている場合と異なり、遮水部が放熱体として機能するのを抑制することができる。すなわち、遮水部が金属製の場合には、基板保持部材の外部の装置等から発生する熱が遮水部に伝えられると、その遮水部が放熱するため、遮水部が設けられた基板保持部材の近傍の温度が上昇し、基板保持部材内の電気部品が加熱される。これに対して、この構成では、遮水部が樹脂製であり、放熱しないので、前記遮水部が金属製の場合のような不都合は生じず、基板保持部材内の電気部品が加熱されるのを抑制することができる。
【００１６】
上記基板保持部材を含む構成において、前記基板保持部材の開口部には、保護カバーが取り付けられているのが好ましい。
【００１７】
このように構成すれば、室外機の製造時やメンテナンス時に作業者が開口部を通じて基板保持部材内の電気部品に触れるのを防ぐことができる。
【００１８】
この場合において、前記保護カバーは、前記基板保持部材の開口部と連通する通気孔を有するのが好ましい。
【００１９】
このように構成すれば、基板保持部材の開口部を覆うように保護カバーを設けたとしても前記通気孔を通じて基板保持部材の内外での通気をとることができる。このため、作業者が基板保持部材内の電気部品に触れるのを防ぎながら、前記通気孔を通じての通気によってその電気部品の放熱を有効に行うことができる。
【００２０】
さらにこの場合において、前記通気孔は、前記保護カバーの上部に設けられており、前記遮水板部は、前記通気孔のうち少なくとも一部の領域を遮蔽しないような長さで延びているのが好ましい。
【００２１】
このように構成すれば、遮水板部によって基板保持部材の内部への水の浸入を防ぎながら、前記通気孔を通じての通気によって基板保持部材内の電気部品の放熱を有効に行うことができる。
【００２２】
上記保護カバーを有する構成において、前記保護カバーは、その上部に切欠き部を有しており、前記遮水板部は、前記切欠き部に対応する箇所においてそれ以外の箇所よりも前記孔部と反対側に大きく突出していてもよい。
【００２３】
このように構成すれば、保護カバーを基板保持部材の開口部に取り付けていても、その保護カバーの切欠き部を通じて基板保持部材の内外で通気をとることができる。このため、保護カバーにより作業者が基板保持部材内の電気部品に触れるのを防ぎながら、前記切欠き部を通じての通気によってその電気部品の放熱を有効に行うことができる。さらにこの構成では、遮水板部が前記切欠き部に対応する箇所においてそれ以外の箇所よりも前記孔部と反対側に大きく突出しているので、保護カバーの上部に切欠き部が設けられていても、その切欠き部を通じて基板保持部材内に侵入しようとする水を遮水板部の大きく突出した部分で遮ることができる。従って、この構成では、作業者が基板保持部材内の電気部品に触れるのを防ぎながら、その電気部品の放熱を有効に行うと同時に、基板保持部材内の水の侵入による電気部品への悪影響を防止することができる。
【発明の効果】
【００２４】
以上説明したように、本発明の空気調和機の室外機によれば、電装品箱内への水の浸入に起因して電気部品に悪影響が及ぼされるのを防止しながら、遮水部及び送風機のファンの設計の自由度を向上させることができる。
【発明を実施するための最良の形態】
【００２５】
以下、本発明の実施形態を図面を参照して説明する。
【００２６】
図１は、本発明の一実施形態による空気調和機の室外機の内部を上方から見た概略的なレイアウト図である。図２は、図１に示した室外機内において仕切板４に対する電装品箱１４の取り付け構造を示した斜視図である。図３は、図２に示した電装品箱１４の斜視図である。図４は、図３の電装品箱１４から保護カバー２８を取り外した状態を示した斜視図である。図５は、図４の電装品箱１４の側面図であり、図６は、図４の電装品箱１４の平面図である。図１〜図６を参照して、本発明の一実施形態による空気調和機の室外機の構成について説明する。
【００２７】
本実施形態による空気調和機の室外機は、図１に示すように、箱形の筐体２を備えており、この筐体２内にこの室外機を構成する各種機器が収容されている。
【００２８】
具体的には、筐体２内には仕切板４が設けられており、この仕切板４によって筐体２内の空間が幅方向において熱交換室Ｓ１と機械室Ｓ２とに仕切られている。仕切板４は、筐体２内の底面に対して略垂直に立設されているとともに、その幅方向において湾曲している。この仕切板４の中央部から上寄りの位置には、熱交換室Ｓ１と機械室Ｓ２とを連通させる矩形状の孔部４ａ（図２参照）が設けられている。
【００２９】
前記熱交換室Ｓ１は、仕切板４の凸面側に面する空間であり、筐体２内の空間において前記機械室Ｓ２よりも大きな割合を占めている。この熱交換室Ｓ１内には、熱交換器６と、送風機８とが設置されている。
【００３０】
前記熱交換器６は、冷媒の熱交換を行うものであり、略Ｌ字状に屈曲した形状を有している。この熱交換器６は、熱交換室Ｓ１内において筐体２の一方側面から背面に沿うように配置されている。
【００３１】
前記送風機８は、前記熱交換器６への送風を行うものであり、熱交換室Ｓ１内において筐体２の前面近傍に配置されている。この送風機８は、モータ８ａと、そのモータ８ａの駆動によって回転するファン８ｂとを有している。モータ８ａは、熱交換室Ｓ１の略中央に設置されており、ファン８ｂは、モータ８ａに対して筐体２の前面側に配置されている。
【００３２】
筐体２の背面において熱交換室Ｓ１に対応する領域には図略の背面側吸気口が設けられており、筐体２の前記一方側面には図略の側面側吸気口が設けられている。筐体２の前面には、図略の排気口が設けられており、この排気口の周囲が熱交換室Ｓ１内においてベルマウス３によって囲まれている。そして、このベルマウス３内に前記ファン８ｂの一部が嵌り込んでいる。送風機８のモータ８ａの駆動によりファン８ｂが回転することによって、前記背面側吸気口及び前記側面側吸気口を通じて熱交換室Ｓ１内に外気が取り込まれて熱交換器６に送風されるとともに、熱交換器６を通過した空気が前記排気口を通って外部へ排出される。
【００３３】
前記機械室Ｓ２は、筐体２内において前記仕切板４の凹面側に面する空間である。この機械室Ｓ２内には、圧縮機１０、アキュムレータ１２、電装品箱１４及びその他の構成機器が設けられている。
【００３４】
前記圧縮機１０は、冷媒ガスを圧縮して高圧の冷媒ガスとするものであり、機械室Ｓ２内において筐体２の背面と側面とが交わる角部の近傍に配置されている。
【００３５】
前記アキュムレータ１２は、冷媒ガス中に残留する液冷媒を分離し、前記圧縮機１０に液冷媒が吸い込まれるのを防ぐものであり、機械室Ｓ２内において筐体２の前面近傍に配置されている。
【００３６】
前記電装品箱１４は、各機器を制御するための電気部品を内部に保持するものである。この電装品箱１４は、前記仕切板４の機械室Ｓ２側の面、すなわち仕切板４の凹面において孔部４ａに対応する位置に取り付けられている。電装品箱１４は、図３に示すように、取付部２０と、基板保持部材２２と、基板２４と、ヒートシンク２６（図５参照）と、保護カバー２８と、リアクタ３０と、端子台支持部３２と、端子台３４とを有する。
【００３７】
前記取付部２０は、電装品箱１４を仕切板４に対して取り付けるためのものである。この取付部２０は、板金を曲げ加工することによって形成されており、その幅方向において複数箇所で屈曲しながら仕切板４の湾曲形状に沿った形状に形成されている。この取付部２０の内面が前記基板保持部材２４の熱交換室Ｓ１側の面を覆うように取り付けられている一方、取付部２０の外面が前記仕切板４の凹面に取り付けられている。この取付部２０の外面は、その屈曲した角部において仕切板４の凹面に対して接触しており、取付部２０の外面の角部間の部分と仕切板４の凹面との間には隙間が形成されている。熱交換室Ｓ１において送風機８によって作り出された空気の流れは、仕切板４の孔部４ａを通るとともに前記隙間を通って機械室Ｓ２内に流れ込み、電装品箱１４及び機械室Ｓ２内の各機器の冷却に寄与するようになっている。また、取付部２０の略中央部には、矩形状の挿通孔２０ａ（図２参照）が設けられている。
【００３８】
前記基板保持部材２２は、前記基板２４を内部に保持するものである。この基板保持部材２２は、図４に示すように樹脂材料によって形成された平型の箱体からなり、挿通孔２２ａ（図２参照）と開口部２２ｂとを有している。
【００３９】
前記挿通孔２２ａは、基板保持部材２２の熱交換室Ｓ１に臨む面の略中央部に設けられており、矩形状に形成されている。この挿通孔２２ａは、前記取付部２０の挿通孔２０ａと重なるように設けられており、その挿通孔２０ａとともに前記ヒートシンク２６を挿通するためのものである。
【００４０】
前記開口部２２ｂは、基板保持部材２２の熱交換室Ｓ１に臨む面と反対側の面に設けられており、上壁２２ｃ、一対の側壁２２ｄ，２２ｄ及び底壁２２ｅによって囲まれて矩形状に形成されている。この開口部２２ｂは、前記基板２４を嵌め込むためのものである。前記基板２４は、矩形状に形成されており、開口部２２ｂ側から基板保持部材２２内に嵌め込まれて固定されている。基板２４の機械室Ｓ２に臨む表面には、各種電気部品が実装されている。
【００４１】
基板保持部材２２の上壁２２ｃには、遮水部２２ｆが設けられている。この遮水部２２ｆは、熱交換室Ｓ１から仕切板４の孔部４ａを通じて機械室Ｓ２に侵入する水が電装品箱１４の内部にその上部から侵入する経路を遮るものである。
【００４２】
具体的には、熱交換室Ｓ１内には前記吸気口や前記排気口を通じて雨水等が浸入する場合があり、この浸入した雨水等は送風機８のファン８ｂによってかき上げられ、仕切板４の孔部４ａ及び仕切板４の凹面と取付部２０の外面との間の隙間を通って電装品箱１４の上方から機械室Ｓ２内に侵入する場合がある。この際、遮水部２２ｆがなければ、電装品箱１４内にその上部から水が侵入するとともに、基板保持部材２２の上壁２２ｃを越え、開口部２２ｂを通って基板保持部材２２内に入り込み、基板２４上の電気部品に降りかかる虞があり、この場合には、基板２４上の電気部品に悪影響が及ぼされる虞がある。
【００４３】
そこで、本実施形態では、このような水の浸入を遮るために前記遮水部２２ｆが基板保持部材２２の上壁２２ｃに設けられている。この遮水部２２ｆは、樹脂材料を用いて基板保持部材２２と一体成形されており、図５に示すように、基板保持部材２２の上壁２２ｃの上面から垂直に立ち上げられた立設部２２ｇと、その立設部２２ｇの上端から前記仕切板４の孔部４ａと反対側へ延びる遮水板部２２ｈとを有する。この遮水板部２２ｈは、図６に示すように略水平に延びる平板状に形成されており、電装品箱１４の内部に水が侵入する経路を遮るように延びている。
【００４４】
具体的には、電装品箱１４の内部に侵入する水は、上記したように基板保持部材２２の上壁２２ｃを越えて開口部２２ｂから基板保持部材２２内に入り込み、基板２４上の電気部品に降りかかるため、この水の浸入経路を遮るように、遮水板部２２ｈは、前記上壁２２ｃの上方においてその上壁２２ｃの開口部２２ｂ側の端縁を越えて前記仕切板４の孔部４ａと反対側に延びている。これにより、電装品箱１４内に侵入する水は、遮水板部２２ｈによって遮られるため、その水により基板２４上の電気部品に悪影響が及ぼされるのが防止される。
【００４５】
前記ヒートシンク２６は、電装品箱１４のうち前記基板２４の放熱、より具体的には基板２４上の発熱を伴う電気部品の放熱を行うためのものである。このヒートシンク２６は、基板２４の裏面に取り付けられる平板状の基台部（図示せず）と、その基台部から前記基板保持部材２２の挿通孔２２ａと前記取付部２０の挿通孔２０ａを通って水平に突出するとともに上下に所定間隔で配置された多数の放熱フィン２６ａとを有している。前記電気部品の発熱は、基板２４を通じてヒートシンク２６に伝えられる。前記放熱フィン２６ａは、電装品箱１４が仕切板４の凹面に取り付けられた状態で仕切板４の孔部４ａを通じて熱交換室Ｓ１側に突出している。これにより、熱交換室Ｓ１において送風機８によって作り出される空気の流れを利用してヒートシンク２６の冷却が行われ、前記電気部品で発生した熱が放熱される。
【００４６】
前記保護カバー２８は、基板保持部材２２の開口部２２ｂを部分的に覆うように設けられており、室外機の製造時やメンテナンス時に作業者が基板保持部材２２の開口部２２ｂを通じて基板２４上の電気部品に触れるのを防ぐものである。この保護カバー２８は、板金製であり、上壁部２８ａと、背面壁部２８ｂと、側壁部２８ｃ，２８ｄとを有している。
【００４７】
前記上壁部２８ａは、前記取付部２０の上壁２０ｃの上に被せられているとともに、その取付部２０の上壁２０ｃに対して固定されている。この上壁部２８ａは、基板保持部材２２の遮水部２２ｆ及び上壁２２ｃの上方に配置されており、その遮水部２２ｆの遮水板部２２ｈの端縁を越えて前記仕切板４から遠ざかる方向に略水平に延びている。この上壁部２８ａには、基板保持部材２２の開口部２２ｂと連通するように通気孔２８ｅが設けられている。この通気孔２８ｅは、仕切板４から遠ざかる方向へ延びる長孔からなり、上壁部２８ａの幅方向に所定間隔で３つ設けられている。
【００４８】
そして、前記遮水部２２ｆの遮水板部２２ｈは、前記通気孔２８ｅのうち少なくとも一部の領域を遮蔽しないような長さで前記仕切板４から遠ざかる方向に延びている。すなわち、各通気孔２８ｅは、その長手方向において仕切板４側の一部の領域が遮水板部２２ｈによって覆われている一方、各通気孔２８ｅの残りの領域は開放されている。この各通気孔２８ｅの開放されている領域を通じて基板保持部材２２内への通気が可能となっている。
【００４９】
前記背面壁部２８ｂは、前記上壁部２８ａの前記仕切板４と反対側の端縁から垂直に立ち下げられており、基板保持部材２２の開口部２２ｂを覆う大きさに形成されている。この背面壁部２８ｂのうち前記筐体２の前面に近い側の一部の領域と、この領域に対応する前記上壁部２８ａの一部の領域とに繋がるように切欠き部２８ｆが形成されている。この切欠き部２８ｆが設けられた領域では、基板保持部材２２内の基板２４が露出している。この切欠き部２８ｆを通じて基板保持部材２２の内外で通気をとることができ、その通気によって基板保持部材２２内の基板２４上の電気部品の放熱を有効に行うことができる。
【００５０】
前記側壁部２８ｃ，２８ｄは、前記背面壁部２８ｂの幅方向両側からそれぞれ垂直に仕切板４側へ向かって延び、基板保持部材２２の対応する側壁２２ｄにそれぞれ固定されている。
【００５１】
前記リアクタ３０は、基板２４を流れる電流の整流化を図るものであり、前記背面壁部の外面のうち幅方向の中心位置から筐体２の背面寄りの部分に取り付けられている。このリアクタ３０は、電流の整流時に発熱を伴うが、仕切板４の孔部４ａを通じて熱交換室Ｓ１から機械室Ｓ２へ流入する風を利用してリアクタ３０が冷却される。
【００５２】
前記端子台支持部３２は、前記端子台３４を支持するものであり、板金が略Ｌ字状に曲げ加工されることによって形成されている。この端子台支持部３２の一方端部は、保護カバー２８の背面壁部２８ｂの外面において前記リアクタ３０の下方の位置に固定されている一方、他方端部は、基板保持部材２２の側壁２２ｄに取り付けられている。
【００５３】
前記端子台３４は、前記基板２４と筐体２内に設けられた前記圧縮機１０や前記送風機８等の各種電気機器との電気接続に用いられるものである。すなわち、この端子台３４を介して筐体２内の各種電気機器が前記基板２４に電気接続される。この端子台３４は、前記端子台支持部３２の外面に取り付けられている。
【００５４】
以上説明したように、本実施形態の室外機では、電装品箱１４の内部にその上部から水が浸入する経路を遮るための遮水部２２ｆが設けられているので、熱交換室Ｓ１内に侵入し、送風機８のファン８ｂによってかき上げられた雨水が仕切板４の孔部４ａを通って機械室Ｓ２内に上から落下したとしても、その雨水が電装品箱１４内に浸入する際に遮水部２２ｆで遮って電装品箱１４内の電気部品に到達するのを防ぐことができる。このため、電装品箱１４内への水の浸入に起因して電気部品に悪影響が及ぼされるのを防止することができる。さらに、この遮水部２２ｆは、機械室Ｓ２に設置される電装品箱１４に設けられているので、熱交換室に遮水板が設けられた従来の室外機と異なり、遮水部２２ｆと送風機８のファン８ｂとの干渉を考慮する必要がない。このため、遮水部２２ｆ及び送風機８のファン８ｂの設計の自由度を向上させることができる。従って、本実施形態では、電装品箱１４内への水の侵入に起因して電気部品に悪影響が及ぼされるのを防止しながら、遮水部２２ｆ及び送風機８のファン８ｂの設計の自由度を向上させることができる。
【００５５】
また、本実施形態では、電装品箱１４に仕切板４の孔部４ａを通じて熱交換室Ｓ１側へ突出するヒートシンク２６が設けられているので、ヒートシンク２６の放熱作用により電装品箱１４内の基板２４の放熱効果を高めることができる。さらに、本実施形態では、ヒートシンク２６が熱交換室Ｓ１に突出するように設けられる一方、遮水部２２ｆは機械室Ｓ２に配設された電装品箱１４に設けられているので、従来の室外機のように熱交換室に設けられたヒートシンクの下部を覆うように遮水板が設けられている構成と異なり、ヒートシンク２６の放熱効果が低下するのを防ぐことができる。このため、ヒートシンク２６の放熱効果を十分に発揮させることができる。
【００５６】
また、本実施形態では、遮水部２２ｆが電装品箱１４の内部に水が浸入する経路を遮るように略水平に延びる遮水板部２２ｈを有しているので、遮水板部２２ｈが上方へ向かって延びる場合に比べて、熱交換室Ｓ１から仕切板４の孔部４ａを通じて機械室Ｓ２へ向かって側方に流れる空気の流れが遮水板部２２ｈで妨げられるのを抑制することができる。これにより、この空気の流れによって電装品箱１４を有効に冷却することができる。
【００５７】
また、本実施形態では、基板保持部材２２に開口部２２ｂが設けられているので、この開口部２２ｂを通じて基板保持部材２２の内外で通気をとることができ、基板保持部材２２の内部に保持された基板２４上の電気部品の放熱を有効に行うことができる。また、遮水板部２２ｈが基板保持部材２２の上壁２２ｃの開口部２２ｂ側の端縁を越えて仕切板４と反対側に延びているので、熱交換室Ｓ１内において送風機８のファン８ｂによってかき上げられ、仕切板４の孔部４ａを通って機械室Ｓ２内に上から落下する水が前記開口部２２ｂを通じて基板保持部材２２内に侵入するのを防ぐことができる。従って、本実施形態では、基板保持部材２２の内部に保持された基板２４上の電気部品の昇温を有効に防止しながら、その基板保持部材２２内への水の浸入に起因する電気部品への悪影響を阻止することができる。
【００５８】
また、本実施形態では、基板保持部材２２と遮水部２２ｆが樹脂材料を用いて一体成形されているため、基板保持部材２２と遮水部２２ｆが個別に形成されている場合に比べて部品点数を削減することができる。さらに、本実施形態では、遮水部２２ｆが樹脂材料で形成されているので、遮水部が金属材料で形成されている場合と異なり、遮水部２２ｆが放熱体として機能するのを抑制することができる。すなわち、遮水部が金属製の場合には、基板保持部材２２の外部の装置等から発生する熱が遮水部に伝えられると、その遮水部が放熱するため、遮水部２２ｆが設けられた基板保持部材２２の近傍の温度が上がり、基板保持部材２２内の電気部品が加熱される。これに対して、本実施形態では、遮水部２２ｆが樹脂製であり、放熱しないので、前記遮水部が金属製の場合のような不都合は生じず、基板保持部材２２内の電気部品が加熱されるのを抑制することができる。
【００５９】
また、本実施形態では、基板保持部材２２の開口部２２ｂには、保護カバー２８が取り付けられているので、室外機の製造時やメンテナンス時に作業者が開口部２２ｂを通じて基板保持部材２２内の電気部品に触れるのを防ぐことができる。
【００６０】
また、本実施形態では、保護カバー２８が基板保持部材２２の開口部２２ｂと連通する通気孔２８ｅを有するので、基板保持部材２２の開口部２２ｂを覆うように保護カバー２８を設けたとしてもその通気孔２８ｅを通じて基板保持部材２２の内外での通気をとることができる。このため、作業者が基板保持部材２２内の電気部品に触れるのを防ぎながら、通気孔２８ｅを通じての通気によってその電気部品の放熱を有効に行うことができる。
【００６１】
また、本実施形態では、遮水板部２２ｈが通気孔２８ｅのうち少なくとも一部の領域を遮蔽しないような長さで延びているので、遮水板部２２ｈによって基板保持部材２２の内部への水の浸入を防ぎながら、通気孔２８ｅを通じての通気によって基板保持部材２２内の電気部品の放熱を有効に行うことができる。
【００６２】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味及び範囲内でのすべての変更が含まれる。
【００６３】
例えば、図７に示した上記実施形態の変形例のように、遮水板部２２ｈのうち保護カバー２８の切欠き部２８ｆに対応する箇所にそれ以外の箇所よりも仕切板４の孔部４ａと反対側に大きく突出した突出部２２ｉが設けられていてもよい。
【００６４】
この変形例の構成によれば、保護カバー２８を基板保持部材２２の開口部２２ｂに取り付けていても、上記実施形態と同様、保護カバー２８の切欠き部２８ｆを通じて基板保持部材２２の内外で通気をとることができる。このため、保護カバー２８により作業者が基板保持部材２２内の電気部品に触れるのを防ぎながら、前記切欠き部２８ｆを通じての通気によってその電気部品の放熱を有効に行うことができる。さらにこの変形例では、遮水板部２２ｈにおいて前記切欠き部２８ｆに対応する箇所に突出部２２ｉが設けられているので、保護カバー２８の上部に切欠き部２８ｆが設けられていても、その切欠き部２８ｆを通じて基板保持部材２２内に侵入しようとする水を突出部２２ｉで遮ることができる。従って、この変形例では、作業者が基板保持部材２２内の電気部品に触れるのを防ぎながら、その電気部品の放熱を有効に行うと同時に、基板保持部材２２内への水の侵入による電気部品への悪影響を防止することができる。
【図面の簡単な説明】
【００６５】
【図１】本発明の一実施形態による空気調和機の室外機の内部を上方から見た概略的なレイアウト図である。
【図２】図１に示した室外機内において仕切板に対する電装品箱の取り付け構造を示した斜視図である。
【図３】図２に示した電装品箱の斜視図である。
【図４】図３の電装品箱から保護カバーを取り外した状態を示した斜視図である。
【図５】図４の電装品箱の側面図である。
【図６】図４の電装品箱の平面図である。
【図７】本発明の一実施形態の変形例による空気調和機の室外機の電装品箱を示した図３に対応する斜視図である。
【符号の説明】
【００６６】
２  筐体
４  仕切板
４ａ  孔部
６  熱交換器
８  送風機
１４  電装品箱
２２  基板保持部材
２２ｂ  開口部
２２ｃ  上壁
２２ｆ  遮水部
２２ｈ  遮水板部
２４  基板
２６  ヒートシンク
２８  保護カバー
２８ｅ  通気孔
Ｓ１  熱交換室
Ｓ２  機械室
【図１】
0004748144.tif 000002
【図２】
0004748144.tif 000003
【図３】
0004748144.tif 000004
【図４】
0004748144.tif 000005
【図５】
0004748144.tif 000006
【図６】
0004748144.tif 000007
【図７】
0004748144.tif 000008